(57)【要約】      （修正有）【課題】安眠に適したマットレスを提供する。【解決手段】適度の弾性と反発力を有する部材を布体にて縫合覆設形成してなるマットレスにおいて、木質チップ５を内蔵したことを特徴とする。【選択図】図６
0003194500.tif 000002
【実用新案登録請求の範囲】
【請求項１】
適度の弾性と反発力を有する部材を布体にて縫合覆設形成してなるマットレスにおいて、木質チップを内蔵したことを特徴とする木質チップを用いたマットレス。
【請求項２】
木質チップをヒノキとしてなる請求項１記載の木質チップを用いたマットレス。
【請求項３】
木質チップをヒバとしてなる請求項１記載の木質チップを用いたマットレス。
【請求項４】
木質チップをサワラとしてなる請求項１記載の木質チップを用いたマットレス。
【請求項５】
木質チップを略鼓形としてなる請求項１〜４のいずれかの項に記載の木質チップを用いたマットレス。
【請求項６】
木質チップの上下にクッション体を設けてなる請求項１〜５のいずれかの項に記載の木質チップを用いたマットレス。
【請求項７】
クッション体を、上下の縫製ネット間に糸状的弾性体を湾曲させて固着したものとしてなる請求項６に記載の木質チップを用いたマットレス。
【請求項８】
クッション体を木質チップに対し上方に位置する上部クッション体と下方に位置する下部クッション体とに分けて用い、上部クッション体は二段重ねとし、下部クッション体は一段としてなる請求項６〜７のいずれかの項に記載の木質チップを用いたマットレス。
【考案の詳細な説明】
【技術分野】
【０００１】  この考案は、芳香を有する木質チップ（小木片）を複数個マットレスに内蔵してなる、木質チップを用いたマットレスに関する。
【背景技術】
【０００２】  従来より、多種多様なマットレスが利用されているが、本案にて示すように木質チップを内蔵したマットレスは現在のところ見当たらない。
【考案の概要】
【考案が解決しようとする課題】
【０００３】  マットレスは、ベッドの上や敷布団の下などに用いる寝具である。ベッド用は主にベッドのボトムの上に載せて使用する。従来のマットレスは、ウレタンフォームタイプとスプリングタイプとが多く用いられている。マットレスは主にその寝心地が重視され、適度の反発力を有して形成されている。近年、睡眠の質が求められるとともに、不眠症に悩まされる人も増加傾向にあり、睡眠剤の服用者も増加してきている。
一方、芳香療法（アロマセラピー）も普及してきているが、既述のように安定睡眠のための手段としては、寝具、薬剤、芳香などの各手段が並立存在し、これらを使い分けているのが現状といえる。
本案は以上に鑑み、寝具と芳香剤とを一体化するとともに、芳香剤として、芳香を有する木質チップを用いることによって、自然芳香の持つ優れた数々の有用性を発揮することにて、睡眠の質を向上させて安眠に導くことのできる、新規かつ有用なる手段を提供することを目的として発案し、開発されたものである。
【課題を解決するための手段】
【０００４】  課題を解決する手段として本案は以下の構成とした。
すなわち、適度の弾性と反発力を有する部材を布体にて縫合覆設形成してなるマットレスにおいて、木質チップを内蔵する。本案は以上の構成よりなる木質チップを用いたマットレスである。
【考案の効果】
【０００５】  本案は下記の効果を有する。
１．内部に芳香を発散する木質チップを有するので、使用者に対する鎮静作用、リラック  ス作用が発揮されて、安眠効果を高めることができる。
２．この木質チップの芳香によって、脱臭作用、殺虫作用、抗菌抗カビ作用が発揮されて  、衛生的にマットレスを使用することができる。
３．立体構成の弾性部材を用いることにより、通気性、吸水性、速乾性に優れて、汗や湿  気を素早く発散することができる。
４．上部クッション体を弾性部材の二段重ねとすることにて、柔軟性に優れるとともに適  度な反発力と弾力性を保つことができて、快適な睡眠を得ることができる。
【図面の簡単な説明】
【０００６】
【図１】  本考案に用いる木質チップの拡大正面図
【図２】  本考案に用いる木質チップの拡大右側面図
【図３】  本考案に用いるチップ収納袋の斜視図
【図４】  本考案に用いるクッション体の構造説明図（平面視）
【図５】  本考案に用いるクッション体の構造説明図（正面視）
【図６】  本考案の内部構造説明図
【図７】  本考案の全体斜視図
【考案を実施するための最良の形態】
【０００７】  以下、本考案の実施形態について説明する。
図において、１は本案のマットレス、２はその表裏面を形成するカバー材であって、その表側材と裏側材とは端部にて相互に縫製加工されている。カバー材は図６にて示すように、綿繊維を主体とした繊維集合体２ａを覆うポリエステル布体２ｂと２ｃによる一体縫合体であって、本案マットレスの表面と裏面を形成している。
３はクッション体である。このクッション体は以下の構成による。
３ａは上部縫製ネットで、平面視において連続する略六角形状に縫合形成された部分である。３ｂは弾性体で、適度の弾性を有する軟質合成樹脂糸状体の集合体であり、その一端は上記の上部縫製ネットに固着され、他端は上部縫製ネットと同一物による下部縫製ネット３ｃに固着されている。また、この弾性体は正面視にて湾曲して設けられる。
従って、このクッション体は上下方向の押圧力にて若干変形してその押圧力を支えて、適度の弾力性を有している。４は通気性に富むチップ収納袋で、中央に膨らみを有するとともに両端を閉じた略変形湾曲体形状を有し、内部には後述の木質チップが多数個充填され、使用時には上下の押圧にて若干の変形状態となる。【０００８】  ５は木質チップで、本例に用いたのはヒノキである。この木質チップは正面視俵形状の小木片であり、ヒノキ特有の芳香を常時発散している。木質チップを収納したチップ収納袋は、図６にて示すように複数個が連続的にマットレス内に位置する。このチップ収納袋の上方には前記のクッション体が二段に重ねられて、上部クッション体６として位置し、下方には一段のクッション体が位置して下部クッション体７となる。これらの各クッション体は、前述のカバー材にて覆われて本案によるマットレスが構成される。【０００９】  本案の使用については、従来のマットレスと同様に用いればよい。
本案の特徴的なことは、マットレスに芳香を有する木質チップを内蔵した点である。
既例ではヒノキの木質チップを用いており、その芳香成分として、ピネン、カジオール、ヒノキオールなどのテルペン類が含まれている。そのため、鎮静作用、気分を和らげる快適性増進作用を有している。また、ヒノキは亜硫酸ガスに対し強い脱臭作用を有し、シロアリに対し強い抵抗力を持っている。さらに、黒コウジカビやペニシリウムなどのカビ類、ブドウ球菌や大腸菌などの細菌類に対して抗菌性を発揮する。ヒノキ以外では、ヒバやサワラも類似の作用を有するものとして知られている。【００１０】  一般に、植物から出る揮発成分として、フィトンチッドがあるが、これは殺菌作用を有しており、脱臭作用、抗菌抗カビ作用、殺虫作用、鎮静作用を有することで知られており、対人的には血圧、脈拍数などを安定させるリラックス効果を有するが、なかでもヒノキはその代表的なものであり、既述の有用な効果を有するものである。従って、ヒノキ等の木質チップを内蔵した本案マットレスを用いることによって、リラックスを助長して安眠効果を得ることができる。【００１１】  既例においては、クッション体を用いているが、木質チップを収納したチップ収納袋の上方に二段のクッション体を用いており、また、クッション体は平面視略六角形の縫製ネットと湾曲した弾性体を用いて形成されているために、柔軟性に優れて使用者に対して適度の反発力と弾力を有して、良質な寝心地が得られるように配慮している。以上のクッション体は立体的空間を有するので、良好な通気性を有して、吸水性や速乾性に優れ、汗や湿気を素早く発散するために快適に使用することができる。
なお、既例においては小塊状の木質チップを用いたが、これに限定することなく他形状の木質チップを用いてもよい。また、既例表現ではチップ収納袋の平面視的配置表現を略したが、その配置はマットレスのサイズに応じて適宜に決定する事ができる。
以上のごとく、本案によって安眠その他の効果を有する有用なるマットレスを得ることができる。
【符号の説明】
【００１２】  １  マットレス
２  カバー材
２ａ  繊維集合体
２ｂ  ポリエステル布体
２ｃ  ポリエステル布体
３  クッション体
３ａ  上部縫製ネット
３ｂ  弾性体
３ｃ  下部縫製ネット
４  チップ収納袋
５  木質チップ
６  上部クッション体
７  下部クッション体
【図１】
0003194500.tif 000003
【図２】
0003194500.tif 000004
【図３】
0003194500.tif 000005
【図４】
0003194500.tif 000006
【図５】
0003194500.tif 000007
【図６】
0003194500.tif 000008
【図７】
0003194500.tif 000009